(57)【要約】【課題】  画像形成状態に適応して、電源が供給すべき上限電圧を動的に切り替えて電源効率を向上することである。【解決手段】    異なる電圧を供給可能な電源を備える画像形成装置において、画像形成に供する複数の負荷に供給する電力モードを通常モードから省電力モードへ、あるいは省電力モードから通常モードへ切り替える（Ｓ５０２，Ｓ５０４）。この時、電力モードの切り替え状態に基づいて、電源が出力すべき電圧を高電圧から低電圧へ、あるいは低電圧から高電圧に切り替える指示を電源に出力する（Ｓ５０３、Ｓ５０５）構成を特徴とする。【選択図】  図４
2008268326.tif 000002
【特許請求の範囲】
【請求項１】
異なる電圧を供給可能な電源を備える画像形成装置であって、
画像形成に供する複数の負荷に供給する電力モードを通常モードから省電力モードへ、あるいは省電力モードから通常モードへ切り替える切り替え手段と、
前記電力モードの切り替え状態に基づいて、前記電源が出力すべき電圧を高電圧から低電圧へ、あるいは低電圧から高電圧に切り替える指示を前記電源に出力する電源制御手段と、
を有することを特徴とする画像形成装置。
【請求項２】
前記複数の負荷は、原稿を読み取るリーダ部、画像データを記録媒体に画像出力するプリンタ部を含むことを特徴とする請求項１記載の画像形成装置。
【請求項３】
異なる電圧を供給可能な電源を備える画像形成装置の電源制御方法であって、
画像形成に供する複数の負荷に供給する電力モードを通常モードから省電力モードへ、あるいは省電力モードから通常モードへ切り替える切り替え工程と、
前記電力モードの切り替え状態に基づいて、前記電源が出力すべき電圧を高電圧から低電圧へ、あるいは低電圧から高電圧に切り替える指示を前記電源に出力する電源制御工程と、
を有することを特徴とする電源制御方法。
【発明の詳細な説明】
【技術分野】
【０００１】
本発明は、電力モードを切り替え可能な画像形成装置に関するものである。
【背景技術】
【０００２】
従来、複写機等の画像形成装置においては、一定時間操作が行われない場合に、自動的に消費電力を低減させて待機モード（スリープモード）に入る機能を備えている。このような画像形成装置では、待機モードではネットワークや電話回線、操作パネル等の外部入力に反応する為の機能以外の電源を切ることで消費電力を抑制している。スリープモードを備える画像形成装置として下記特許文献１が公開されている。
【特許文献１】特開２００３−３０７９８０号公報
【発明の開示】
【発明が解決しようとする課題】
【０００３】
ところで、画像形成装置に備えられる電源装置の供給電力が大きい場合では、待機モードの様な消費電力が小さい場合とで電源効率が悪くなる問題がある。
【０００４】
つまり、画像形成装置本体における消費電力が小さい場合に効率を上げようとすると、供給電力が小さくなる問題がある。
【０００５】
これを解決する為に、通常動作用の供給電力の大きい電源と、待機モード用の供給電力の小さい電源とを備え、それらの電源を組み合わせて電源効率を上げる方法がある。しかしながら、画像形成装置があらかじめ電源を独立して２系統備えるとコストアップする問題がある。
【０００６】
本発明は、上記の課題を解決するためになされたもので、本発明の目的は、画像形成状態に適応して、電源が供給すべき上限電圧を動的に切り替えて電源効率を向上できる仕組みを提供することである。
【課題を解決するための手段】
【０００７】
上記目的を達成する本発明の画像形成装置は以下に示す構成を備える。
【０００８】
異なる電圧を供給可能な電源を備える画像形成装置であって、画像形成に供する複数の負荷に供給する電力モードを通常モードから省電力モードへ、あるいは省電力モードから通常モードへ切り替える切り替え手段と、前記電力モードの切り替え状態に基づいて、前記電源が出力すべき電圧を高電圧から低電圧へ、あるいは低電圧から高電圧に切り替える指示を前記電源に出力する電源制御手段とを有することを特徴とする。
【発明の効果】
【０００９】
本発明によれば、画像形成状態に適応して、電源が供給すべき上限電圧を動的に切り替えて電源効率を向上できる安価な画像形成装置を提供することである。
【発明を実施するための最良の形態】
【００１０】
次に本発明を実施するための最良の形態について図面を参照して説明する。
【００１１】
＜システム構成の説明＞
〔第１実施形態〕
図１は、本発明の第１実施形態を示す画像形成装置の構成を説明するブロック図である。本実施形態では、リーダ部とプリンタ部とが通信して画像処理を行う画像入出システムを例とするが、プリンタ装置や、アナログ画像形成装置であってもよい。
【００１２】
図１において、リーダ部（画像入力装置）２００は、原稿画像を光学的に読み取り、画像データに変換する。リーダ部２００は、原稿を読取るための機能を持つスキャナユニットと、原稿用紙を搬送するための機能を持つ原稿給紙ユニットとで構成される。
【００１３】
プリンタ部（画像出力装置）３００は、記録紙を搬送し、その上に画像データを可視画像として印字して装置外に排紙する。プリンタ部３００は、複数種類の記録紙カセットを持つ給紙ユニット３６０と、画像データを記録紙に転写、定着させる機能を持つマーキングユニット３１０を備える。また、プリンタ部３００は、印字された記録紙をソート、ステイプルして機外へ出力する機能を持つ排紙ユニット３７０を備える。
【００１４】
制御装置１００は、リーダ部２００、プリンタ部３００と電気的に接続され、さらにネットワーク１１を介して、ホストコンピュータ１５、サーバ１３〜１４と接続されている。
【００１５】
なお、マーキングユニット３１０には、各種の電源負荷を備え、各電源負荷は、電源部４００から電力供給を受けて所定の画像形成動作を行う。ここで、電源負荷には、感光ドラム、給紙ローラ、搬送ベルトを駆動する駆動ローラに駆動力を供給するモータ類、熱定着ユニットを加熱するヒータ等が含まれる。もちろん、オプションユニットが接続される場合には、さらに多くの負荷に電力を供給する必要がある。
【００１６】
なお、本実施形態に示す画像入出システムは、画像形成を行う通常の電力モードと、画像形成を待機する省電力モードとを備え、省電力制御が行われる。なお、電力モードが省電力モードへ移行する条件は、画像入出システム１０の機能やユーザの設定等によって異なる。
【００１７】
制御装置１００は、リーダ部２００を制御して、原稿の画像データを読込み、プリンタ部３００を制御して画像データを記録用紙に出力してコピー機能を提供する。
【００１８】
また、画像入出システム１０は、リーダ部２００から読取った画像データを、コードデータに変換し、ネットワーク１１を介して各種サーバ１２〜１４へ送信するスキャナ機能を備える。また、画像入出システム１０は、ホストコンピュータ１５からネットワーク１１を介して受信したコードデータを画像データに変換し、プリンタ部３００に出力するプリンタ機能を提供する。
【００１９】
電源部４００は、交流商用電源（ＡＣ電源）を入力とする電源回路で構成される。電源部４００は、制御装置１００、リーダ部２００、プリンタ部３００に直流電圧や、交流電圧を供給する電圧４０２を作成する。また、電源部４００は、制御装置１００からの制御信号４０１に応じて、直流電圧の電圧を後述するように変化させる。
【００２０】
ＯＦＦ／ＯＮ切替回路４１０、４２０は、制御装置１００からの供給信号に応じてリーダ部２００、プリンタ部３００に供給する電源をＯＦＦ／ＯＮする。
【００２１】
＜制御装置の説明＞
図２は、図１に示した制御装置１００の構成を説明するブロック図である。なお、図１と同一のものには同じ符号を付してある。
【００２２】
図２において、メインコントローラ１１０は、主にＣＰＵ１１１、メモリ制御部１１２，バス制御部１１３，スキャンＩ／Ｆ１１４，プリンタＩ／Ｆ１１５，パネルＩ／Ｆ１１６を備える。さらに、メインコントローラ１１０は，スキャン画像処理部１１７，プリンタ画像処理部１１８，圧縮・伸張部１１９，無線Ｉ／Ｆ部１２０，シリアルＩ／Ｆ部１２１，ポート制御部１２２を備える。１４３はコネクタで、ＵＳＢケーブルが接続される。
【００２３】
ＣＰＵ１１０とメモリ制御部１１２は制御装置１００全体の動作を制御するものであり、ＣＰＵ１１１はメモリ１３１に格納されたプログラムに基づいて動作する。
【００２４】
また、メモリ１３１に格納されたプログラムには、ホストコンピュータ１５から受信したＰＤＬ（ページ記述言語）コードデータを解釈し、ラスタイメージデータに展開する動作も、このプログラムに記述されている。ＣＰＵ１１１は、上記プログラムを実行することでコードデータの解釈及びラスタイメージデータの展開を行う。
【００２５】
メモリ制御部１１２は各Ｉ／Ｆから入出力されるデータ転送を制御するものであり、バス競合時の調停やＤＭＡデータ転送の制御を行う。
【００２６】
バス制御部１１３はＢｏｏｔＲＯＭ１３２，ＲＯＭ１３３，モデム１３４のアクセスを制御する。スキャンＩ／Ｆ１１４はスキャナから入力される画像データ受信し、メモリ１３１やスキャン画像処理部１１７に画像データを転送する。
【００２７】
スキャン画像処理部１１７はスキャンＩ／Ｆ１１４から受け取った画像に対して所定の画像処理を施す機能を有する。ここで、所定の画像処理としては、ラインピッチ補正，オフセット補正，非線形補正，色空間マッチング，ＭＴＦ補正，空間フィルタ，無彩色判定等が挙げられる。
【００２８】
プリンタＩ／Ｆ１１５では、プリンタ部から送られてくるビデオ制御信号をもとに制御信号を作成し、制御信号に合わせてビデオ信号を出力する。
【００２９】
プリンタ画像処理部１１８は、メモリ１３１もしくは圧縮・伸張部１１９からラスタイメージデータを入力し、メモリ１３１，圧縮・伸張部１１９，プリンタＩ／Ｆ１１５の何れかにハーフトン画像処理を施したデータを出力する。
【００３０】
ここで、画像処理としては、色空間圧縮，下地除去，ｌｏｇ変換，非線形色空間変換，乱数加算，ガンマ変換，誤差拡散処理，スクリーン処理等が挙げられる。
【００３１】
圧縮・伸張部１１９は、メモリ１３１に蓄積されたラスタイメージデータをＭＨ／ＭＲ／ＭＭＲ／ＪＢＩＧ／ＪＰＥＧ等の方式で圧縮し、また逆に圧縮され蓄積されたコードデータをラスタイメージデータに伸長する。
【００３２】
変倍・回転部１２３は、メモリ１３１に蓄積されたラスタイメージデータを拡大・縮小処理や、９０°，１８０°，２７０°回転処理を行う機能を有する。ＢｏｏｔＲＯＭ１３２は、ＣＰＵ１１１のプログラムが格納される。
【００３３】
ＲＯＭ１３３はユーザーモードや各種設定情報を保存するのに用いられ、ＦｏｎｔＲＯＭもＲＯＭ１３３に格納される。
【００３４】
パネルＩ／Ｆ１１６は操作パネル１４０との通信を行う。操作パネル１４０は液晶表示部と複数個のハードキーを有する。ハードキーにより入力された信号は前述したパネルＩ／Ｆ１１６を介してＣＰＵ１１１に伝えられ、操作パネル１４０ではパネルＩ／Ｆ１１６から送られてきたデータを表示する。操作パネル１４０は、例えば液晶表示部で構成され、本画像形成装置の操作における機能等をユーザインタフェース（ＵＩ）として表示する。なお、操作パネル１４０も、電源部４００からの電力が供給されている。
【００３５】
無線Ｉ／Ｆ１２０では、ホストコンピュータとの通信、各種デバイスとの通信を行う。無線Ｉ／Ｆとしては、一般的に無線ＬＡＮが挙げられる。
【００３６】
シリアルＩ／Ｆ１２１では、ホストコンピュータとの通信、各種デバイスとの通信をコネクタ１４３を介して行われる。シリアルバスとしては一般的にＵＳＢが挙げられる。なお、ホストコンピュータは、プリンタドライバ、ユーティリティを介して通信処理を行う。
【００３７】
無線Ｉ／Ｆ１２０とシリアルＩ／Ｆ１２１は、ホストコンピュータからＰＤＬデータを受信するＩ／Ｆや、表示装置１８とのコマンド通信、画像データ転送等に用いられる。
【００３８】
モデム１４６とＮＣＵ１３５は公衆回線に接続され、ＦＡＸの通信制御を行う。Ｎｅｔｗｏｒｋ  Ｃｏｎｔｒｏｌｌｅｒ１３７は外部ネットワークと接続される。ネットワークとしては一般的にイーサネット（登録商標）があげられ、ホストコンピュータからのＰＤＬデータ受信や、スキャナ画像の送信、リモート管理等に用いられる。
【００３９】
リアルタイムクロックモジュール１３６は、機器内で管理する日付と時刻を更新／保存するためのもので、バックアップ電池によってバックアップされている。
【００４０】
＜電源制御の説明＞
図３は、図１に示した電源部４００を含む電源制御部の構成を説明するブロック図である。なお、図１，図２と同じものには同一の符号を付してある。なお、電源部４００は、１台で、画像形成装置の状態に応じて、高電圧または低電圧を負荷に供給可能に構成されている。したがって、電源部４００は、高負荷用電源と高効率用電源（低負荷用電源）との双方を備える電源ユニットとして機能する。なお、電源部４００の電源状態は、後述する図４に示す画像形成状態に基づいて電源制御部１５１により切り替え制御される。
【００４１】
図３において、定圧電源１５０は、電源部４００から入力した直流電圧を各部に供給する一定の電圧に変換する。ここで、定圧電源１５０は、各デバイスに応じて異なる電位、例えばＤＣ２４Ｖ、ＤＣ５Ｖ等のＤＣ電圧に変換する。
【００４２】
ここで、電源部４００は、リーダ部２００またはプリンタ部３００の通常動作に必要な高電圧と、リーダ部２００またはプリンタ部３００が省電力モード状態移行時に制御装置１００に供給する低電圧を切り替え出力可能な電源ユニットである。
【００４３】
ＯＦＦ／ＯＮ切替回路１５３は、メインコントローラ１１０からフィードバックされる制御信号１６５に応じて定圧電源１５０から入力した直流電圧の供給をＯＦＦ／ＯＮ切り替え制御を行う。
【００４４】
電源制御部１５１は、各デバイスからフィードバックされる制御信号１６１〜１６６に応じて、制御信号４０１を電源部４００に出力する。この制御信号４０１が、電源部４００から供給する電圧を高電圧状態から低電圧状態、あるいは低電圧から高電圧状態に移行させる指示信号となる。
【００４５】
なお、制御信号１６６は、メインコントローラ１１０からの制御する信号で、電源部４００から出力する直流電圧を高い電圧から低い電圧に切り替える際に出力される。
【００４６】
制御信号１６５は、電源制御部１５１からＯＦＦ／ＯＮ切替回路１５３に出力される制御信号である。電源制御部１５１は、電源部４００から出力する直流電圧が高い場合にＯＮ、低い場合にＯＦＦする制御信号として制御信号１６５をＯＦＦ／ＯＮ切替回路１５３に出力する。これにより、電源部４００から出力される直流電圧が低い電圧から高い電圧に切り替える制御を行うことができる。
【００４７】
ここで、制御信号１６１〜１６４は、各部から電源制御部１５１にフィードバックされるトリガー信号として機能する。各制御信号１６１〜１６４は、操作パネル１４０からの省電力復帰操作、ＦＡＸの受信、Ｎｅｔｗｏｒｋ受信、ＲｅａｌＴｉｍｅＣｌｏｃｋからのタイマー・アラーム割り込み等に同期するタイミングで電源制御部１５１にトリガーをかける。
【００４８】
＜電源制御フローの説明＞
図４は、本実施形態を示す画像形成装置における電源制御手順を示すフローチャートである。本例は、電源部４００に対する電力制御手順に対応する。
【００４９】
なお、Ｓ５０１〜Ｓ５０５は各ステップを示す。各ステップは、ＣＰＵ１１１がＲＯＭ１３３に記憶される制御プログラムをメモリ１３１にロードして実行することで実現される。
【００５０】
Ｓ５０１で、電源スイッチにより電源投入が行われると、電源部４００から高い電圧が画像形成装置を構成する負荷、デバイスに出力される。これにより、ＯＦＦ／ＯＮ切替回路１５３（ＯＦＦ／ＯＮ切替回路４１０，４２０を含む）はＯＮ状態となる。そして、リーダ部２００、制御装置１００、プリンタ部３００に電源が供給されて通常動作モードとなる。
【００５１】
次に、Ｓ５０２で、ＣＰＵ１１１は、省電力モード移行条件を監視する。ここで、省電力移行条件とは、一定時間、操作パネル１４０からユーザによる操作指示が無い、ＰＤＬ，ＦＡＸ等のプリントジョブを受信していない、Ｎｅｔｗｏｒｋでデータ転送を行っていない等の条件が挙げられる。なお、省電力移行条件は、ユーザの機能使用環境や、直前の画像形成動作に応じて異なる条件を設定する構成を備えてもよい。
【００５２】
そして、Ｓ５０２で、ＣＰＵ１１１が省電力モード移行条件が整ったと判断した場合は、Ｓ５０３で、電源制御部１５１から電源部４００に低い電圧に切り替える指示を出力する。これにより、電源部４００を通常の電力モードから省電力モードに移行させる。なお、省電力モードではＯＦＦ／ＯＮ切替回路１５３をＯＦＦ状態とする。これにより、図１に示すように、リーダ部２００とプリンタ部３００への電力供給が制限されることで、省電力モードとなる。ただし、図１に示すように、省電力モード中であっても、制御装置１００への電力供給は停止されない。
【００５３】
次に、Ｓ５０４で、ＣＰＵ１１１が省電力モードから通常動作モードに移行するトリガー信号が入力しているかどうかを監視する。ここで、トリガー信号は、制御信号１６１、操作パネル１４０からの復帰指示、制御信号１６２、ＦＡＸの受信、制御信号１６３、Ｎｅｔｗｏｒｋからの復帰指示、制御信号１６４、ＲｅａｌＴｉｍｅＣｌｏｃｋからのタイマー・アラーム割り込み等がある。また、トリガー信号は、コネクタ１４３に対して、例えば通信ケーブルが接続されることを検知することで発生してもよい。
【００５４】
Ｓ５０４で、電源制御部１５１がいずれかのトリガー信号が入力されたことを検知すると、電源制御部１５１から電源部４００に出力電圧を高い電圧に切り替える指示（図３に示す制御信号４０１）を出す。次に、ＯＦＦ／ＯＮ切替回路１５３をＯＮ状態にして、省電力モードから通常動作モードに移行させて、Ｓ５０２へ戻る。
【００５５】
これにより、通常動作モードの消費電力の大きい場合に電圧を高くして高負荷に対応し、省電力モードの消費電力の小さい場合に電圧を低くして効率を良くする事が可能になる。
【００５６】
したがって、画像入出システム１０は、あらかじめ高負荷用電源と高効率用電源を備える必要がなく、電源ユニットのコストダウンが可能となる。
【００５７】
本実施形態によれば、画像入出システム１０の電力モードが画像形成状態に適応して変動したら、その変動に適応して電源が供給すべき上限電圧を動的に切り替えて電源効率を向上させることができる。
【００５８】
〔第２実施形態〕
なお、上記実施形態では、電源部４００から電圧を供給する際に、ＯＦＦ／ＯＮ切替回路４１０，４２０の双方を同時に供給する場合を説明した。しかしながら、図４に示すＳ５０４で、通常モード移行すべき要因に従って、ＯＦＦ／ＯＮ切替回路４１０のみに電圧を供給するようにすることで、省電力状態を維持するように制御してもよい。
【００５９】
つまり、プリンタ部３００を駆動する必要のないジョブを受信したり、リーダ部２００から原稿を送信したり、メモリ装置にスキャン原稿を記憶させるだけの場合のように、省電力の状態を維持することができる場合があるからである。
【００６０】
〔第３実施形態〕
また、コネクタ１４３に通信ケーブルが接続されてホストコンピュータからジョブ処理要求を受信する場合も、第２実施形態のように、そのジョブ処理要求の属性を判定して電圧供給状態を制御してもよい。つまり、ＯＦＦ／ＯＮ切替回路４１０，４２０の双方を同時にＯＮにしたり、一方のみをＯＮにすることで、省電力を状態を維持させるように制御してもよい。
【００６１】
特に、ホストコンピュータ１５からの要求が常にプリントジョブとは限らない場合に、図４のＳ５０４で、通常モードへ移行する要因の属性を判断することは重要である。
【００６２】
〔第４実施形態〕
以下、図５に示すメモリマップを参照して本発明に係る画像形成装置で読み取り可能なデータ処理プログラムの構成について説明する。
【００６３】
図５は、本発明に係る画像形成装置で読み取り可能な各種データ処理プログラムを格納する記憶媒体のメモリマップを説明する図である。
【００６４】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００６５】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００６６】
本実施形態における図４に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００６７】
以上のように、前述した実施形態の機能を実現するソフトウエアのプログラムコードを記録した記憶媒体を、システムあるいは装置に供給する。そして、そのシステムあるいは装置のコンピュータ（またはＣＰＵやＭＰＵ）が記憶媒体に格納されたプログラムコードを読出し実行することによっても、本発明の目的が達成されることは言うまでもない。
【００６８】
この場合、記憶媒体から読み出されたプログラムコード自体が本発明の新規な機能を実現することになり、そのプログラムコードを記憶した記憶媒体は本発明を構成することになる。
【００６９】
従って、プログラムの機能を有していれば、オブジェクトコード、インタプリタにより実行されるプログラム、ＯＳに供給するスクリプトデータ等、プログラムの形態を問わない。
【００７０】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【００７１】
この場合、記憶媒体から読出されたプログラムコード自体が前述した実施形態の機能を実現することになり、そのプログラムコードを記憶した記憶媒体は本発明を構成することになる。
【００７２】
その他、プログラムの供給方法としては、クライアントコンピュータのブラウザを用いてインターネットのホームページに接続する。そして、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【００７３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００７４】
また、コンピュータが読み出したプログラムコードを実行することにより、前述した実施形態の機能が実現されるだけではない。例えばそのプログラムコードの指示に基づき、コンピュータ上で稼働しているＯＳ（オペレーティングシステム）等が実際の処理の一部または全部を行う。そして、その処理によって前述した実施形態の機能が実現される場合も含まれることは言うまでもない。
【００７５】
さらに、記憶媒体から読み出されたプログラムコードが、コンピュータに挿入された機能拡張ボードやコンピュータに接続された機能拡張ユニットに備わるメモリに書き込ませる。その後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７６】
本発明は上記実施形態に限定されるものではなく、本発明の趣旨に基づき種々の変形（各実施形態の有機的な組合せを含む）が可能であり、それらを本発明の範囲から排除するものではない。
【００７７】
本発明の様々な例と実施形態を示して説明したが、当業者であれば、本発明の趣旨と範囲は、本明細書内の特定の説明に限定されるのではない。
【図面の簡単な説明】
【００７８】
【図１】本発明の第１実施形態を示す画像形成装置の構成を説明するブロック図である。
【図２】図１に示した制御装置の構成を説明するブロック図である。
【図３】図１に示した電源部を含む電源制御部の構成を説明するブロック図である。
【図４】本実施形態を示す画像形成装置における電源制御手順を示すフローチャートである。
【図５】本発明に係る画像形成装置で読み取り可能な各種データ処理プログラムを格納する記憶媒体のメモリマップを説明する図である。
【符号の説明】
【００７９】
１０  画像入出システム
１００  制御装置
１５１  電源制御部
２００  リーダ部
３００  プリンタ部
４００  電源部
【図１】
2008268326.tif 000003
【図２】
2008268326.tif 000004
【図３】
2008268326.tif 000005
【図４】
2008268326.tif 000006
【図５】
2008268326.tif 000007